(57)【要約】【課題】  スピーカで発生した音を共鳴させて十分な音質が得られるようにする。【解決手段】  放音孔部１６を有するカメラ本体１と、このカメラ本体１内に配置されるスピーカ保持部材１７と、このスピーカ保持部材１７に取り付けられるスピーカ１８とを備えたスピーカ取付構造において、スピーカ保持部材１７によってスピーカ１８の共鳴空間２３をカメラ本体１内におけるスピーカ１８の放音面側と反対側に形成した。従って、スピーカ１８の音がスピーカ１８の裏面側に放音されても、カメラ本体１の隙間から漏れることがなく、共鳴空間２３で良好に共鳴させることができ、これにより低音域側の音質を高めることができるので、十分な音質を得ることができる。【選択図】        図３
2005051643.tif 000002
【特許請求の範囲】
【請求項１】
放音孔部を有する機器ケースと、この機器ケース内に配置されたスピーカ保持部材と、このスピーカ保持部材に放音面側を前記放音孔部側に向けて取り付けられたスピーカとを備え、
前記スピーカ保持部材によって前記スピーカの共鳴空間を前記機器ケース内に形成したことを特徴とするスピーカ取付構造。
【請求項２】
前記共鳴空間は前記スピーカの放音面側と反対側に形成されていることを特徴とする請求項１に記載のスピーカ取付構造。
【請求項３】
前記共鳴空間は前記スピーカ保持部材と前記機器ケース内に設けられた回路基板とによって前記機器ケース内における前記スピーカの放音面側と反対側に形成されていることを特徴とする請求項２に記載のスピーカ取付構造。
【請求項４】
前記スピーカはその放音面側を前記機器ケースの一面に対向させた状態で配置され、前記放音孔部は前記スピーカの放音面側に対向する前記機器ケースの前記一面と隣接する前記機器ケースの側面に設けられていることを特徴とする請求項１〜３のいずれかに記載のスピーカ取付構造。
【請求項５】
前記機器ケースはフロントケースとリアケースとからなり、前記スピーカ保持部材は前記フロントケースと前記リアケースとの隙間を塞いでいることを特徴とする請求項１〜４のいずれかに記載のスピーカ取付構造。
【発明の詳細な説明】
【技術分野】
【０００１】
この発明は、電子カメラや携帯電話機などの各種の電子機器に用いられるスピーカ取付構造に関する。
【背景技術】
【０００２】
従来、電子機器に組み込まれるスピーカ取付構造には、機器ケースの一面に多数の放音孔からなる放音孔部を設け、この放音孔部に対応させてスピーカをスピーカ保持部材で機器ケース内に取り付けた構造のものがある。この場合、スピーカ保持部材は、リング状の鍔部を有する円板状に形成され、その円板状の凹部内にスピーカが取り付けられ、このスピーカを放音孔部に対応させた状態で、リング状の鍔部の先端面を機器ケースの内面に当接させて機器ケース内に配置されている。
【０００３】
しかしながら、このようなスピーカ取付構造では、スピーカで発生した音を機器ケースの放音孔部から外部に放音させることはできるが、スピーカで発生した音をそのまま放音孔部から放音するだけであるから、十分な音質が得られないという問題がある。特に、スピーカで発生した音のうち、スピーカの裏面側つまりスピーカの放音面側と反対側に向けて放音された音は、機器ケース内に拡散されて機器ケースの隙間から漏れるため、低音域側の音質が低下するという問題がある。また、機器ケースが金属ケースのような場合、密閉性の良い樹脂ケースと比較して、ケースの合わせ目が板金の端面となるため、密閉性が悪く、隙間が生じ、その隙間から音が漏れやすくなっていた。
【特許文献１】特開平１１−４４９３号公報
【発明の開示】
【発明が解決しようとする課題】
【０００４】
この発明が解決しようとする問題点は、スピーカで発生した音をそのまま放音孔部から放音していることにより十分な音質が得られない点にある。
【課題を解決するための手段】
【０００５】
請求項１に記載の発明は、放音孔部を有する機器ケースと、この機器ケース内に配置されたスピーカ保持部材と、このスピーカ保持部材に放音面側を前記放音孔部側に向けて取り付けられたスピーカとを備え、
前記スピーカ保持部材によって前記スピーカの共鳴空間を前記機器ケース内に形成したことを特徴とするスピーカ取付構造である。
【０００６】
請求項２に記載の発明は、前記共鳴空間が前記スピーカの放音面側と反対側に形成されていることを特徴とする請求項１に記載のスピーカ取付構造である。
【０００７】
請求項３に記載の発明は、前記共鳴空間が前記スピーカ保持部材と前記機器ケース内に設けられた回路基板とによって前記機器ケース内における前記スピーカの放音面側と反対側に形成されていることを特徴とする請求項２に記載のスピーカ取付構造である。
【０００８】
請求項４に記載の発明は、前記スピーカがその放音面側を前記機器ケースの一面に対向させた状態で配置され、前記放音孔部が前記スピーカの放音面側に対向する前記機器ケースの前記一面と隣接する前記機器ケースの側面に設けられていることを特徴とする請求項１〜３のいずれかに記載のスピーカ取付構造である。
【０００９】
請求項５に記載の発明は、前記機器ケースがフロントケースとリアケースとからなり、前記スピーカ保持部材が前記フロントケースと前記リアケースとの隙間を塞いでいることを特徴とする請求項１〜４のいずれかに記載のスピーカ取付構造である。
【発明の効果】
【００１０】
請求項１に記載の発明によれば、スピーカで発生した音を機器ケースの放音孔部から外部に放音するときに、スピーカ保持部材によって機器ケース内に形成されたスピーカの共鳴空間でスピーカの音を共鳴させることができ、これにより放音孔部から放音される音の音質を高めることができるので、十分な音質を得ることができる。
【００１１】
請求項２に記載の発明によれば、共鳴空間がスピーカの放音面側と反対側に形成されていることにより、スピーカの放音面側と反対側に向けて放音された音を機器ケースの隙間から漏らさずに共鳴空間で良好に共鳴させることができ、これにより低音域側の音質を高めることができる。
【００１２】
請求項３に記載の発明によれば、共鳴空間がスピーカ保持部材と機器ケース内の回路基板とによって機器ケース内におけるスピーカの放音面側と反対側に形成されていることにより、スピーカの放音面側と反対側に形成される共鳴空間を回路基板によって最適な容積に形成することができ、これによりスピーカの放音面側と反対側に向けて放音された音を良好に共鳴させることができるので、低音域側の音質を最適にすることができる。
【００１３】
請求項４に記載の発明によれば、放音孔部がスピーカの放音面側に対向する機器ケースの一面と隣接する機器ケースの側面に設けられていることにより、スピーカの放音面側が機器ケースの一面に対向していても、スピーカの音を機器ケースの一面と隣接する機器ケースの側面側から放音させることができ、これによりスピーカの放音面側と反対側でもスピーカの音を聞くことができるほか、機器ケース内へのスピーカの取付方向および取付位置が制約されないため、スピーカを機器ケース内に自由に設置することができる。
【００１４】
請求項５に記載の発明によれば、スピーカ保持部材がフロントケースとリアケースとの隙間を塞いでいることにより、スピーカの放音面側と反対側に向けて放音された音がフロントケースとリアケースとの隙間から漏れることがなく、これによっても音質を高めることができる。
【発明を実施するための最良の形態】
【００１５】
以下、図１〜図５を参照して、この発明のスピーカ取付構造を電子カメラに適用した一実施形態について説明する。
図１はこの発明の電子カメラを前面側から見た斜視図、図２はその電子カメラを後面側から見た斜視図、図３は図１のＡ−Ａ矢視における拡大断面図、図４は図３のＢ−Ｂ矢視における拡大断面図、図５は図３の電子カメラを下面側から見た要部の拡大底面図である。
この電子カメラは、図１および図２に示すように、カメラ本体１を備えている。このカメラ本体１はフロントケース２とリアケース３とからなっており、これらフロントケース２およびリアケース３はステンレスなどの剛性の高い金属製の薄板で形成されている。
【００１６】
このカメラ本体１の前面つまりフロントケース２の前面における右上隅には、図１に示すように、撮影部４が設けられており、その左側に位置する個所には光学ファインダ５およびマイク部６が上下に並んで設けられ、その更に左側に位置する個所にはストロボ発光部７が設けられている。このカメラ本体１の上面における左側（図２では上面の右側）には、シャッタ釦８および電源釦９が左右に並んで設けられている。
【００１７】
また、このカメラ本体１の後面つまりリアケース３の後面（図２では前面）における左側に位置する個所には、図２に示すように、表示部１０が設けられており、その右側に位置する複数個所には、各種のメニューキー１１〜１３が上下左右に並んで設けられている。これら各種のメニューキー１１〜１３の右下側に位置する個所には、十字方向に操作可能なカーソルキー１４が設けられており、表示部１０の上側に位置する個所には、フロントケース２側から連続する光学ファインダ５が設けられている。
【００１８】
一方、カメラ本体１の内部には、図１に点線で示すように、スピーカ部１５が撮影部４の下側に位置し、且つ表示部１０の裏面に対応して配置されている。このスピーカ部１５は、図３〜図５に示すように、カメラ本体１の下面つまりフロントケース２の下面に設けられた放音孔部１６と、カメラ本体１の内部に設けられて放音孔部１６をカメラ本体１のフロントケース２と共に囲むスピーカ保持部材１７と、このスピーカ保持部材１７に取り付けられたスピーカ１８と、カメラ本体１内に配置されてスピーカ保持部材１７の下部を塞ぐ回路基板１９とを備えた構成になっている。
【００１９】
この場合、スピーカ保持部材１７は、シリコーンゴムなどの弾性を有する合成樹脂からなり、図３および図４に示すように、スピーカ１８を囲むと共に放音孔部１６側が開放されたコ字状の第１枠部２０と、この第１枠部２０の底部に設けられてスピーカ１８を載置すると共にスピーカ１８の裏面部が挿入する挿入孔を有する載置部２１と、第１枠部２０の外周側に突出すると共に載置部２１の裏面側つまり載置部２１からリアケース３側に向けて突出する第２枠部２２とを備え、これらを一体に形成した構成になっている。この場合、第２枠部２２は、図４に示すように、全体がほぼ正方形の枠状に形成されていると共に、この枠状の右下隅部におけるフロントケース２の前面側に第１枠部２０および載置部２１が形成され、これにより図３に示すように載置部２１の裏面側から第１枠部２０の外周側に亘って共鳴空間２３を形成するように構成されている。
【００２０】
すなわち、このスピーカ保持部材１７は、図３および図４に示すように、載置部２１の挿入孔にスピーカ１８の裏面部を挿入させてスピーカ１８を載置部２１に載置して取り付けた状態で、第１、第２枠部２０、２２の側面をフロントケース２の右下隅部に位置する各側面に当接させて配置し、この状態で第２枠部２２の一端面（図３では各右端面）をカメラ本体１内に配置された回路基板１９の一面（図３では左側面）に弾接させて密着させることにより、フロントケース２と回路基板１９との間に第２枠部２２によって共鳴空間２３を形成すると共に、第２枠部２２の側面により機器ケース１の右下隅部に位置するフロントケース２とリアケース３との隙間を塞ぐように構成されている。また、このスピーカ保持部材１７は、第１、第２枠部２０、２２の各一端面（図３では各左端面）をフロントケース２の内側前面に弾接させて密着させることにより、フロントケース２と載置部２１との間に第１枠部２０によってスピーカ１８で発生した音を放音孔部１６に導く空間部２４を形成するように構成されている。
【００２１】
スピーカ１８は、図３に示すように、その放音面側がフロントケース２の内側前面に対向し、且つその裏面部がスピーカ保持部材１７の載置部２１に設けられた挿入孔に挿入した状態で、スピーカ保持部材１７の載置部２１に配置されている。放音孔部１６は、図４に示すように、複数の放音孔１６ａを有し、図３に示すように、スピーカ１８の放音面側が対向するフロントケース２の前面と隣接するフロントケース２の側面、つまりフロントケース２の前面と直交して隣接するフロントケース２の下面に設けられ、これによりカメラ本体１の下面側からスピーカ１８の音を外部に放音するように構成されている。回路基板１９は、電子カメラ全体の電子回路を構成するための各種の電子部品（図示せず）が搭載され、カメラ本体１のリアケース３内に配置されている。
【００２２】
このような電子カメラでは、光学ファインダ５を覗いて被写体を撮影部４で撮影すると、その被写体の画像が表示部１０に表示されると共に、撮影時の音をマイク部６で取り込み、この取り込んだ音をスピーカ部１５で再生することにより、表示部１０に表示された撮影画像を見ながらスピーカ部１５で放音された音を聞くことができる。すなわち、スピーカ部１５のスピーカ１８が音を発生すると、その音がスピーカ保持部材１７とカメラ本体１とで形成された空間部２４で導かれてカメラ本体１の下面の放音孔部１６から外部に放音されるので、スピーカ１８がカメラ本体１の前面に対向して表示部１０と反対側に向いていても、表示部１０に表示された画像を見ながら良好にスピーカ１８の音を聞くことができる。
【００２３】
このように、この電子カメラのスピーカ取付構造によれば、カメラ本体１内にスピーカ保持部材１７を配置することにより、このスピーカ保持部材１７の第２枠部２２によってカメラ本体１内にスピーカ１８の共鳴空間２３がスピーカ１８の放音面側と反対側に形成されるので、スピーカ１８で発生した音を共鳴空間２３で共鳴させることができる。このため、スピーカ１８の放音面側と反対側に向けて放音された音がカメラ本体１の隙間、例えばフロントケース２とリアケース３との隙間から漏れることがなく、共鳴空間２３で共鳴するので、低音域側の音質を高めることができ、これにより十分な音質を得ることができる。
【００２４】
この場合には、特にスピーカ保持部材１７の第２枠部２２の一端面（図３では各右端面）がカメラ本体１内に配置された回路基板１９の一面（図３では左側面）に弾接して密着していることにより、フロントケース２と回路基板１９との間に第２枠部２２によって共鳴空間２３を形成しているので、スピーカ１８の放音面側と反対側に形成される共鳴空間２３を回路基板１９によって最適な容積に形成することができ、これによりスピーカ１８の放音面側と反対側に向けて放音された音を共鳴空間２３で良好に共鳴させることができるので、低音域側の音質を最適にすることができる。
【００２５】
また、このスピーカ取付構造では、放音孔部１６がスピーカ１８の放音面側に対向するカメラ本体１の前面と隣接するカメラ本体１の側面、つまりフロントケース２の前面と直交して隣接するフロントケース２の下面に設けられていることにより、スピーカ１８がフロントケース２の前面に対向して表示部１０と反対側に向いていても、スピーカ１８の音をフロントケース２の下面側から放音させることができ、これにより表示部１０を見ながらスピーカ１８の音を聞くことができるほか、カメラ本体１内へのスピーカ１８の取付方向および取付位置が制約されないため、スピーカ１８をカメラ本体１内に自由に設置することができる。
【００２６】
なお、上記実施形態では、スピーカ保持部材１７の第１枠部２０と載置部２１とによってスピーカ１８の放音面側にスピーカ１８の音を導く空間部２４をカメラ本体１内に形成したが、この空間部２４を共鳴空間に形成しても良い。このようにすれば、スピーカ１８で発生した音を空間部２４でも共鳴させて放音孔部１６から外部に放音させることができるので、高音域側の音質をも高めることができる。
【００２７】
また、上記実施形態では、スピーカ保持部材１７の第２枠部２２の一端面（図３では各右端面）をカメラ本体１内の回路基板１９の一面（図３では左側面）に弾接させて密着させていることにより、フロントケース２と回路基板１９と間に共鳴空間２３を形成したが、これに限らず、例えばスピーカ保持部材１７の第２枠部２２の一端面（図３では各右端面）をカメラ本体１のリアケース３の内面に弾接させて密着させることにより、フロントケース２とリアケース３との間に共鳴空間２３を形成した構造でも良い。
【００２８】
また、上記実施形態では、スピーカ保持部材１７の第２枠部２２を表裏両面側に開放させた形状に形成したが、これに限らず、例えば図６に示すように、スピーカ保持部材１７の第２枠部２２の前面側（図６では左端面側）に閉塞部２５を一体に形成した構造でも良く、またスピーカ保持部材１７の第２枠部２２の裏面側（図６では右端面側）に閉塞部（図示せず）を一体に形成した構造でも良い。このようにすれば、より一層、共鳴空間２３の密閉性を高めてスピーカ１８の音を共鳴させることができる。
【００２９】
さらに、上記実施形態では、スピーカ１８を備えた電子機器として、電子カメラに適用した場合について述べたが、これに限らず、例えば携帯電話機、電子手帳、電子辞書、ＰＤＡ（パーソナル・デジタル・アシスタント）などの各種の電子機器に広く適用することができる。
【図面の簡単な説明】
【００３０】
【図１】この発明のスピーカ取付構造を適用した電子カメラを前面側から見た斜視              図である。
【図２】図１の電子カメラを後面側から見た斜視図である。
【図３】図１のＡ−Ａ矢視における拡大断面図である。
【図４】図３のＢ−Ｂ矢視における拡大断面図である。
【図５】図３のカメラ本体を下面側から見た要部の拡大底面図である。
【図６】スピーカ保持部材の変形例を示した要部の拡大断面図である。
【符号の説明】
【００３１】
１  カメラ本体
２  フロントケース
３  リアケース
１５  スピーカ部
１６  放音孔部
１７  スピーカ保持部材
１８  スピーカ
１９  回路基板
２０  第１枠部
２１  載置部
２２  第２枠部
２３  共鳴空間
２４  空間部
【図１】
2005051643.tif 000003
【図２】
2005051643.tif 000004
【図３】
2005051643.tif 000005
【図４】
2005051643.tif 000006
【図５】
2005051643.tif 000007
【図６】
2005051643.tif 000008